(57)【要約】      （修正有）【課題】部品コストや組立工数をアップすることなく、簡単な構成でカードの挿入方向を間違えてしまってもカードコネクタ端子の損傷を防止可能なメモリーカードの誤挿入防止装置を提供すること。【解決手段】矩形の平面形状からなり、長辺方向の前面端には接続端子を有し、対向する面の長辺方向の１辺には平面から突出する突条部を有するメモリーカードと接続端子に接続される端子１ａを有するカードコネクタ１とメモリーカードを排出するためのカードスロット３とカードコネクタ及びカードスロットを支持するカードスロット支持部材４とからなるメモリーカード装置であって、メモリーカード装置のコンパクトフラッシュカードＴＹＰＥＩの挿入間口寸法は、前記コンパクトフラッシュカードＴＹＰＥＩに形成される突条部よりも小さくなるようにカードスロット支持部材に凸部４ａを有することを特徴とする構成とした。【選択図】図２
2012185958.tif 000002
【特許請求の範囲】
【請求項１】
矩形の平面形状からなり、長辺方向の前面端には接続端子（１００ｃ）を有し、対向する面の長辺方向の１辺には前記平面から突出する突条部（１００ａ）を有するメモリーカード（１００）と前記接続端子（１００ｃ）に接続される端子（１ａ）を有するカードコネクタ（１）と前記メモリーカード（１００）を排出するためのカードスロット（３）と前記カードコネクタ（１）及びカードスロット（３）を支持するカードスロット支持部材（４）とからなるメモリーカード装置であって、
前記メモリーカード装置の前記コンパクトフラッシュカードＴＹＰＥＩ（１００）の挿入間口寸法（Ｇａｐ−ａ）は、前記コンパクトフラッシュカードＴＹＰＥ（１００）に形成される突条部（１００ａ）よりも小さくなるように前記カードスロット支持部材に凸部（４ａ）を有することを特徴とするメモリーカードの誤挿入防止装置。
【請求項２】
矩形の平面形状からなり、長辺方向の前面端には接続端子（１００ｃ）を有し、対向する面の長辺方向の１辺には前記平面から突出する突条部（１００ａ）を有するメモリーカード（１００）と前記接続端子（１００ｃ）に接続される端子（１ａ）を有するカードコネクタ（１）と前記メモリーカード（１００）を排出するためのカードスロット（３）と前記カードコネクタ（１）及びカードスロット（３）を支持するプリント基板（１０）とからなるメモリーカード装置であって、
前記メモリーカード装置の前記コンパクトフラッシュカードＴＹＰＥ（１）の挿入間口寸法（Ｇａｐ−ａ）は、前記コンパクトフラッシュカードＴＹＰＥ（１００）に形成される突条部（１００ａ）よりも小さくなるように前記プリント基板（１０）に実装部品（１２）が実装されていることを特徴とするメモリーカードの誤挿入防止装置。
【請求項３】
前記メモリーカード（１００）はコンパクトフラッシュカードＴＹＰＥに準拠したカードであることを特徴とする請求項１又は請求項２に記載のメモリーカードの誤挿入防止装置。
【発明の詳細な説明】
【技術分野】
【０００１】
本発明は、コンパクトフラッシュ等のメモリーカードを記録媒体として用い、メモリーカードがカードコネクタに対し誤挿入されてもカードコネクタの端子部が損傷しないように誤挿入防止機構を備えた電子機器に関するものである。
【背景技術】
【０００２】
例えばデジタルカメラ等の装置において、撮影データの保存をするために着脱式の記録媒体が広く用いられている。
【０００３】
こうした記録媒体としては、樹脂や金属によってその平面形状が矩形のカード状に形成されたパッケージ内にランダムアクセスメモリ（ＲＡＭ）を収容し、その挿入方向に沿った前端部側にカードコネクタと電気的接続をするための接続端子を有する記録メディアを用いることが知られている。
【０００４】
このような記録メディアとして、コンパクトフラッシュメモリーカード（サンディスクコーポレーションの登録商標、以下CFカードと呼ぶ）が広く知られている。
【０００５】
ＣＦカードは挿入方向に沿った長さよりも、挿入方向と直交する方向の幅のほうが大きい形状となっているため、これが挿入されるカードスロットに対して、正しい挿入方向に対して約９０度回転させても挿入できてしまう。
【０００６】
ＣＦカードが搭載される電子機器にはこうした誤挿入を防止するために、カードスロット蓋やカードスロット部の入口近傍に、正しい挿入方向の表示が設けられているが、表示スペース自体が限られ、また、ユーザがこれに対して十分注意しない場合もあり、誤った方向からの挿入を防止することはできない。
【０００７】
誤った方向からを挿入すると、カードスロット内に設けられたカードコネクタの端子がＣＦカードとの干渉によって変形や破損する恐れがあり、変形や破損した場合は、ＣＦカードがカードコネクタに接続できなくなるためデータの保存ができなくなってしまう。
【０００８】
このような誤挿入対策として例えば特許文献１記載の提案がなされている。
【０００９】
本文献ではＣＦカード誤挿入防止用の誤挿入防止バネを設け、ＣＦカードが正しく挿入されると誤挿入防止バネが回避することでＣＦカードの装着が可能となり、ＣＦカードを誤った方向で挿入すると誤挿入防止バネが回避しないためＣＦカードがＣＦカード誤挿入防止バネに引っ掛かり装着ができなくするというものである。
【先行技術文献】
【特許文献】
【００１０】
【特許文献１】特開2006-195774号公報
【発明の概要】
【発明が解決しようとする課題】
【００１１】
しかしながら、特許文献１記載の誤挿入防止装置は誤挿入対策として専用の部品が必要であるため、部品コストや組立工数がアップしてしまい製品コストが上がってしまう問題があった。
【００１２】
本発明は、上記従来技術の課題を解決するためになされたものであって、部品コストや組立工数をアップすることなく、簡単な構成でカードの挿入方向を間違えてしまってもカードコネクタ端子の損傷を防止可能なメモリーカードの誤挿入防止装置を提供することにある。
【課題を解決するための手段】
【００１３】
上記目的を達成するために、請求項１記載の本発明は、矩形の平面形状からなり、長辺方向の前面端には接続端子（１００ｃ）を有し、対向する面の長辺方向の１辺には前記平面から突出する突条部（１００ａ）を有するメモリーカード（１００）と前記接続端子（１００ｃ）に接続される端子（１ａ）を有するカードコネクタ（１）と前記メモリーカード（１００）を排出するためのカードスロット（３）と前記カードコネクタ（１）及びカードスロット（３）を支持するカードスロット支持部材（４）とからなるメモリーカード装置であって、
前記メモリーカード装置の前記コンパクトフラッシュカードＴＹＰＥＩ（１００）の挿入間口寸法（Ｇａｐ−ａ）は、前記コンパクトフラッシュカードＴＹＰＥＩ（１００）に形成される突条部（１００ａ）よりも小さくなるように前記カードスロット支持部材に凸部（４ａ）を有することを特徴とする。
【００１４】
上記目的を達成するために、請求項２記載の本発明は、矩形の平面形状からなり、長辺方向の前面端には接続端子（１００ｃ）を有し、対向する面の長辺方向の１辺には前記平面から突出する突条部（１００ａ）を有するメモリーカード（１００）と前記接続端子（１００ｃ）に接続される端子（１ａ）を有するカードコネクタ（１）と前記メモリーカード（１００）を排出するためのカードスロット（３）と前記カードコネクタ（１）及びカードスロット（３）を支持するプリント基板（１０）とからなるメモリーカード装置であって、
前記メモリーカード装置の前記コンパクトフラッシュカードＴＹＰＥＩ（１）の挿入間口寸法（Ｇａｐ−ａ）は、前記コンパクトフラッシュカードＴＹＰＥＩ（１００）に形成される突条部（１００ａ）よりも小さくなるように前記プリント基板（１０）に実装部品（１２）が実装されていることを特徴とする。
【００１５】
上記目的を達成するために、請求項３記載の本発明は、前記メモリーカード（１００）はコンパクトフラッシュカードＴＹＰＥＩに準拠したカードであることを特徴とする。
【発明の効果】
【００１６】
本発明の誤挿入防止装置によれば、カードスロット及びカードコネクタを支持する部材に誤挿入防止用の凸部を設けたことにより、部品コストや組立工数をアップすることなく簡単な構成でメモリーカードの誤挿入防止を図ることが可能となる。
【図面の簡単な説明】
【００１７】
【図１】ＣＦカードＴＹＰＥＩの三面図
【図２】メモリーカード誤挿入防止装置の斜視図及び断面図及び要所拡大図
【図３】メモリーカード誤挿入防止装置にＣＦカード１００を挿入する場合に想定される挿入方向を示す図及び要所拡大図
【図４】第２の実施例によるメモリーカード誤挿入防止装置の斜視図及び断面図
【発明を実施するための形態】
【００１８】
以下に、本発明の好ましい実施の形態を、添付の図面に基づいて詳細に説明する。
【００１９】
［実施例１］
以下、図１から図３を参照して、本発明の第１の実施例による、メモリーカードの誤挿入防止装置について説明する。
【００２０】
図１は、ＣＦカードＴＹＰＥＩの三面図である。
【００２１】
１００はＣＦカード本体で、矩形の平面形状を有し後述するカードスロットに挿入される際の挿入方向に沿った長さ寸法Ｌよりも、これと直行する幅方向の寸法Ｗの方が大きく形成されている。また、挿入方向に沿った後端部側の辺に沿って、ＣＦカード本体１００の厚さＴ1よりも一方の面側に付き出した厚みＴ2からなる突条１００ａが形成されている。また、挿入方向に沿った前端部には後述するカードコネクタの端子と嵌合することで機器との電気的接続がなされる接続端子１００ｃが設けられている。１００ｂはカードスロットに設けられているキーと嵌合することで、カードコネクタの端子に前記接続端子１００ｃを確実に導くためのキー溝である。
【００２２】
以上、これら寸法Ｌ、寸法Ｗ、厚みＴ１及びＴ２、突条１００ａ、キー溝１００ｂ、接続端子１００ｃはＣＦＡ（CompactFlash Association）によって規格化されている。
【００２３】
図２は本発明であるメモリーカード誤挿入防止装置で、（ａ）は斜視図、（ｂ）は（ａ）のＡ−Ａ断面図、（ｃ）は（ｂ）のＢ部詳細図である。
【００２４】
１はカードコネクタで、前記ＣＦカード１００の接続端子１００ｃに嵌合する複数のコンタクトピンからなる端子１ａを有している。２はフレキシブルプリント基板（以下フレキと呼ぶ）で、前記カードコネクタ１が実装され、先端部には本発明のメモリーカード誤挿入防止装置が組み込まれる不示図の電子機器の制御基板と接続されるコネクタ接続端子２ａを有する。前記カードコネクタ１及び前記フレキ２によって電子機器の制御基板とＣＦカード１００との通信がなされる。３は前記キー溝１００ｂと嵌合する不示図のキーを有しＣＦカード１００をカードコネクタ１に確実に導き、またカードコネクタ１に装着されたＣＦカード１００を排出させるためのカードスロットである。３ａは排出ボタン、３ｂは排出ボタン３ａが取り付けられる排出アーム、３ｃは排出アーム３とリンクしている排出レバーで、ＣＦカード１００を排出する際には排出ボタン３ａを押すことにより排出アーム３ｂが駆動し、排出アーム３ｃが回転軸３ｄを軸として回転駆動し、排出アーム３ｃと一体に形成された排出片３ｅによってＣＦカード１００の接続端子１００ｃ面を押すことでＣＦカード１００が排出される。４は前記カードコネクタ１が実装されたフレキ２及び前記カードスロット３を支持するための金属板からなるＣＦプレートである。フレキ２は取り付けビス５によってＣＦプレート４に固着され、カードスロット３は取り付けビス６によって間にＣＦプレート４を挟み不示図の電子機器筐体に固着される。また、ＣＦプレート４はカードスロット３の開口近傍に凸部４ａが一体に形成されており、前記凸部４ａの突出量はカードスロット３とで成し得る隙間Ｇａｐ−ａが以下となるように形成されている。
【００２５】
Ｔ２（ＣＦカード１００ａ厚み）＞Ｇａｐ−ａ≧Ｔ１（ＣＦカード厚み）
図３は本発明であるメモリーカード誤挿入防止装置にＣＦカード１００を挿入する場合に想定される挿入方向を示す図及びＣＦカード１００が前記凸部４ａ近傍まで挿入された時の拡大図である。
【００２６】
（ａ）は正常なＣＦカード１００挿入方向を示す図である。（ｂ）は正常にＣＦカード１００が挿入された場合の前記凸部４ａ近傍部の拡大図である。
【００２７】
正しい方向でＣＦカード１００が挿入されると、前述したＧａｐ−ａとＣＦカード１００の厚みの関係からＧａｐ−ａよりもＣＦカード１００の厚み（Ｔ１）のほうが小さいためＣＦカード１００は凸部４ａに引っ掛かることなく挿入可能となる。
【００２８】
（ｃ）は正常なＣＦカード１００の挿入方向に対してＣＦカード１００を９０度回転して挿入した状態を示す図である。（ｄ）は正常なＣＦカード１００の挿入方向に対してＣＦカード１００を９０度回転して挿入した場合の前記凸部４ａ近傍部の拡大図である。
【００２９】
誤った方向でＣＦカード１００が挿入されると、前述したＧａｐ−ａとＣＦカード１００の厚みの関係からＧａｐ−ａよりもＣＦカード１００ａの厚み（Ｔ２）のほうが大きいため凸部４ａでＣＦカード１００が引っ掛かり、それ以上のＣＦカード１００の挿入を防止することができる。つまりは、ＣＦカード１００はカードコネクタ１の端子１ａまで届くことはないので端子１ａの損傷を防止することが可能となる。
【００３０】
［実施例２］
前述の実施形態ではカードコネクタをフレキに実装し、金属板であるＣＦプレートに固定するようになっているが、実施例２としてはカードコネクタの実装をリジット基板（以下基板と呼ぶ）にした場合について説明する。
【００３１】
以下、図４を参照して本発明の第２の実施例によるメモリーカード誤挿入防止装置について説明する。（ａ）はメモリーカード誤挿入防止装置を示す斜視図、（ｂ）は（ａ）のＣ−Ｃ断面拡大図である。尚、前記実施形態と同一部材については同一記号を記すと共に詳細説明は割愛する。
【００３２】
図中、１０はリジット基板からなる基板で、カードコネクタ１と後述説明するフレキコネクタ１１及びオンボードプレート１２が実装されている。尚、カードコネクタ１には実施例１と同様にカードスロット３が取り付けられる。これらメモリーカード誤挿入防止装置は取り付けビス１３によって不示図の電子機器筐体に固着される。
【００３３】
フレキコネクタ１１には不示図の電子機器の制御基板に接続されるフレキが取り付けられ、これによって電子機器の制御基板とＣＦカード１００との通信がなされる。尚、フレキコネクタに限定されるものではなく、例えばＢｔｏＢコネクタ或いは細線同軸等のハーネスでもよい。オンボードプレート１２は自動実装対応の金属板であり、実装後のカードスロット３とで成し得る隙間Ｇａｐ−ａを以下となるようにするための部材である。
【００３４】
Ｔ２（ＣＦカード１００ａ厚み）＞Ｇａｐ−ａ≧Ｔ１（ＣＦカード厚み）
これによって、実施例１と同様にＣＦカード１００を誤った方向で挿入しても、前述したＧａｐ−ａとＣＦカード１００の厚みの関係からＧａｐ−ａよりもＣＦカード１００ａの厚み（Ｔ２）のほうが大きいためオンボードプレート１２でＣＦカード１００が引っ掛かり、それ以上のＣＦカード１００の挿入を防止することができる。つまりは、ＣＦカード１００はカードコネクタ１の端子１ａまで届くことはないので端子１ａの損傷を防止することが可能となる。
【００３５】
尚、本実施例ではＣＦカード１００の誤挿入防止としてオンボードプレート１２を実装しているが、これに限定されるものではなく、例えば基板１０にレジスト開口を設けておき半田を盛ることで代用としても良い。
【００３６】
以上、本発明の好ましい実施形態について説明したが、本発明はこれらの実施形態に限定されず、その要旨の範囲内で種々の変形及び変更が可能である。
【符号の説明】
【００３７】
１            カードコネクタ
２            フレキ
３            カードスロット
４            カードスロット支持部材
４ａ          凸部
Ｇａｐ−ａ    メモリーカード装置の挿入間口寸法
１００        ＣＦカード
１００ａ      突条部
【図１】
2012185958.tif 000003
【図２】
2012185958.tif 000004
【図３】
2012185958.tif 000005
【図４】
2012185958.tif 000006